(57)【要約】【課題】人間の足底アーチに対応する形状のアーチサポートを有する足底板において、そのアーチサポートを常に足底アーチに位置させることができるようにすること。【解決手段】人間の足底アーチに対応する形状のアーチサポート１１を有する足底板２０において、アーチサポート１１を人間の足底アーチに固定するアーチ固定手段１２を設けた。また、使用時に人間の踵を保持する踵保持手段１３を設けた。【選択図】図４
0003107850.tif 000002
【実用新案登録請求の範囲】
【請求項１】
人間の足底アーチに対応する形状のアーチサポートを有する足底板において、アーチサポートを人間の足底アーチに固定するアーチ固定手段を設けた足底板。
【請求項２】
人間の踵を保持する踵保持手段をさらに設けた請求項１に記載の足底板。
【請求項３】
踵保持手段に、人間の足首に係止する係止手段を設けた請求項２に記載の足底板。
【請求項４】
人間のつま先を保持するつま先保持手段をさらに設けた請求項１〜３のいずれかに記載の足底板。
【請求項５】
つま先保持手段に、人間の足首に係止する係止手段を設けた請求項４に記載の足底板。
【請求項６】
アーチ固定手段が、人間の踵を保持する踵保持手段と、この踵保持手段に設けた、人間の足首に係止する係止手段と、人間のつま先を保持するつま先保持手段と、このつま先保持手段に設けた、人間の足首に係止する係止手段とからなる請求項１に記載の足底板。
【考案の詳細な説明】
【技術分野】
【０００１】
本考案は、靴の中敷等として使用される足底板に関する。
【背景技術】
【０００２】
二足直立歩行を行う人間の足底には、効率的に地面を蹴って前に進むために「足底アーチ」と呼ばれる構造が形成されている。この足底アーチには、図７に示すように、縦アーチ（内側と外側）と横アーチがあり、足底の踵、小指、親指の３点を結ぶ３本の線が立体的な弧を描く曲面となっている。
【０００３】
そして、この３点を結ぶ足底アーチがスプリングの役割をして、歩行時の衝撃をやわらげ、また、人間が行動を起こそうとするときに体重の数倍かかる動的荷重を分散させている。さらに、足底アーチが正常に発達した状態では、歩くたびに足底アーチの伸縮によって血液（静脈血）を持ち上げるという、第２の心臓と呼ばれるポンプの役割も果たしている。
【０００４】
このように、正常な足底アーチの保持は人間の健康にとって非常に重要であり、この足底アーチを保持するために、従来、例えば特許文献１に記載されているように、足底アーチに対応する凸部（アーチサポート）を有する足底板を靴底や靴の中敷として使用することが行われている。
【０００５】
この足底板の使用は、正常な足底アーチの保持・形成に有効な手段であるが、例えば、長靴や安全靴のように実際の足のサイズより大きい靴を着用する場合、靴の中で足が動くので足底板に形成したアーチサポートが足底アーチの位置からずれてしまい、アーチサポートが本来の役割を果たさなくなるだけでなく、アーチサポートが足底アーチ以外の部分に当たって痛みや疲労が生じるという問題があった。
【特許文献１】登録実用新案第３０５５３６８号公報
【考案の開示】
【考案が解決しようとする課題】
【０００６】
本考案が解決しようとする課題は、人間の足底アーチに対応する形状のアーチサポートを有する足底板において、そのアーチサポートを常に足底アーチに位置させることができるようにすることにある。
【課題を解決するための手段】
【０００７】
本考案は、人間の足底アーチに対応する形状のアーチサポートを有する足底板において、アーチサポートを人間の足底アーチに固定するアーチ固定手段を設けたことを特徴とする。
【０００８】
本考案の足底板には、上記アーチ固定手段に加えて、人間の踵を保持する踵保持手段、及び人間のつま先を保持するつま先保持手段を設けることができる。また、これらの踵保持手段及びつま先保持手段には、それぞれ人間の足首に係止する係止手段を設けることもできる。
【考案の効果】
【０００９】
本考案によれば、アーチ固定手段によりアーチサポートを人間の足底アーチに固定することができるので、アーチサポートを常に足底アーチに位置させることができ、アーチサポートによる足底アーチの保持・形成効果を確実に発揮させることができる。
【００１０】
また、踵保持手段やつま先保持手段を設けたものでは、足底板に対する足底のずれが防止され、アーチサポートを足底アーチに確実に位置させることができる。
【考案を実施するための最良の形態】
【００１１】
以下、図面に示す実施例に基づき、本考案の実施の形態を説明する。
【実施例１】
【００１２】
図１は、本考案の第１実施例を示す斜視図である。同図に示す足底板１０は、つま先部分を切除した形状を有しており、その表面には、人間の足底アーチに対応する形状のアーチサポート１１が形成されている。このアーチサポート１１の位置は、足底形状を複写したフットプリントや、例えば本願出願人が特願２００４−２３５８５６として出願した足底アーチ位置測定装置によって決定する。
【００１３】
さらに、図１に示す足底板１０は、アーチサポート１１を人間の足底アーチに固定するためのアーチ固定手段１２を有する。このアーチ固定手段の両端には面ファスナーを設けている。
【００１４】
図２は、図１に示す足底板１０の使用状態を示す斜視図である。同図に示すように、使用者がその足底アーチを足底板１０のアーチサポート１１の位置に合致するように載置した後、アーチ固定手段１２を足の甲に巻き付けて両端の面ファスナーにより接合することにより、足底板１０を足裏に固定してアーチサポート１１を足底アーチに固定する。
【００１５】
このように、本考案では、アーチ固定手段１２によりアーチサポート１１を人間の足底アーチに固定するので、アーチサポート１１を常に足底アーチに位置させることができ、アーチサポート１１による足底アーチの保持・形成効果を確実に発揮させることができる。また、本実施例では、足底板１０のつま先部分を切除しているので、歩行をスムーズに行うことができる。
【００１６】
なお、本実施例では、アーチ固定手段１２として、両端に面ファスナーを設けた帯状部材を使用したが、これに限定されるものではなく、例えばゴムバンドを使用しても良い。要するに、足底板１０（アーチサポート１１）を足裏に固定できるものであれば良い。
【実施例２】
【００１７】
図３は、本考案の第２実施例を示す斜視図である。同図に示す足底板２０は、図１の足底板１０に人間の踵を保持する踵保持手段１３を設けたものである。その他の構成は図１の足底板１０と同一であり、同一の構成には同一の符号を付し、その説明を省略する。
【００１８】
踵保持手段１３は布又はゴムバンドで形成することができ、足底板２０の踵部分及びアーチ固定手段１２に接着又は縫合されて取り付けられている。
【００１９】
図４は、図３に示す足底板２０の使用状態を示す斜視図である。同図に示すように、踵保持手段１３によって踵が保持されるので、足裏の後方へのずれが防止され、確実に足底板２０（アーチサポート１１）を足裏に固定することができる。
【実施例３】
【００２０】
図５は、本考案の第３実施例を示す斜視図である。同図に示す足底板３０の表面には、実施例１、２のものと同様に、人間の足底アーチに対応する形状のアーチサポート１１が形成されている。そして、踵側には踵保持手段１３が、つま先側にはつま先保持手段１４が設けられている。
【００２１】
踵保持手段１３は滑動性の高い布で形成されており、足底板３０の踵部分に接着又は縫合されて取り付けられている。つま先保持手段１４も滑動性の高い布で形成されており、足底板３０のつま先部分に接着又は縫合されて取り付けられている。また、踵保持手段１３及びつま先保持手段１４には、それぞれ使用時に人間の足首に係止するためのゴム紐からなる係止手段１５，１６が設けられている。
【００２２】
図６は、図５に示す足底板３０の使用状態を示す斜視図である。同図に示すように、使用者が踵部分とつま先部分をそれぞれ踵保持手段１３及びつま先保持手段１４に入れ、足底アーチを足底板３０のアーチサポート１１の位置に合致するように載置した後、踵保持手段１３及びつま先保持手段１４に設けた係止手段１５，１６を足首に係止する。これによって、足底板３０（アーチサポート１１）が足裏に固定される。すなわち、本実施例では、踵保持手段１３、つま先保持手段１４及び係止手段１５，１６がアーチサポート１１を人間の足底アーチに固定するアーチ固定手段を構成する。
【００２３】
本実施例では踵保持手段１３とつま先保持手段１４により使用者の踵とつま先が保持されるので、足裏の前後方向のずれが防止され、確実に足底板３０（アーチサポート１１）を足裏に固定することができる。
【産業上の利用可能性】
【００２４】
本考案の足底板は靴の中敷として好適に利用可能である。また、靴を脱いだ後もそのまま着用し、室内で足底アーチの保持・形成を図ることもできる。
【図面の簡単な説明】
【００２５】
【図１】本考案の第１実施例を示す斜視図である。
【図２】図１に示す足底板の使用状態を示す斜視図である。
【図３】本考案の第２実施例を示す斜視図である。
【図４】図３に示す足底板の使用状態を示す斜視図である。
【図５】本考案の第３実施例を示す斜視図である。
【図６】図５に示す足底板の使用状態を示す斜視図である。
【図７】人間の足底アーチを示す説明図である。
【符号の説明】
【００２６】
１０、２０、３０  足底板
１１  アーチサポート
１２  アーチ固定手段
１３  踵保持手段
１４  つま先保持手段
１５、１６  係止手段
【図１】
0003107850.tif 000003
【図２】
0003107850.tif 000004
【図３】
0003107850.tif 000005
【図４】
0003107850.tif 000006
【図５】
0003107850.tif 000007
【図６】
0003107850.tif 000008
【図７】
0003107850.tif 000009